(57)【特許請求の範囲】
【請求項１】
エンジンの排気通路に設けられ、該排気通路を流れる排気と流通させる前記エンジンの冷却水からなる流体との間で熱交換を行う熱交換流路と、
前記熱交換流路で昇温された流体を流通させると共に、該流体と車室内に送風される空気との間で熱交換を行うヒータコアと、
前記熱交換流路の流体出口部と前記ヒータコアの流体入口部とを接続する第１の流体流路と、
前記ヒータコアの流体出口部と前記熱交換流路の流体入口部とを接続すると共に、少なくとも一部が前記エンジンのシリンダブロック内に形成される第２の流体流路と、
前記第１の流体流路もしくは前記第２の流体流路に設けられて流体を圧送するポンプと、
前記第１の流体流路と前記シリンダブロックよりも流体上流側に位置する前記第２の流体流路とを接続して、流体の流路を前記ヒータコアから迂回させるバイパス流路と、
流体の流路を前記ヒータコアもしくは前記バイパス流路に切り替えるバイパスバルブと、を備え、
前記バイパスバルブは、前記ヒータコアに流入する流体の温度が、暖房用の熱源として空気を十分に加熱できる第２の上限閾値よりも高くなると、流体の流路を前記バイパス流路に切り替えることを特徴とする車両用暖房装置。
【請求項２】
前記熱交換流路よりも排気上流側の排気通路から分岐して形成された分岐排気通路と、
前記排気通路と前記分岐排気通路との分岐部に設けられて排気の流路を切り替える流路切替バルブと、をさらに備え、
前記流路切替バルブは、前記熱交換流路で昇温された流体の温度が流体の沸騰を防ぐ第１の上限閾値以下の時は、排気の流路を前記熱交換流路が設けられた排気通路にする一方、前記熱交換流路で昇温された流体の温度が前記第１の上限閾値よりも高くなると、排気の流路を前記分岐排気通路に切り替える請求項１に記載の車両用暖房装置。
【請求項３】
前記排気通路に排気を浄化する排気浄化触媒が設けられ、前記熱交換流路は該排気浄化触媒よりも排気下流側の排気通路に設けられる請求項１又は２に記載の車両用暖房装置。
【発明の詳細な説明】
【技術分野】
【０００１】
本発明は、車両用暖房装置に関し、特に、廃熱を回収して車室内に送風される空気を加熱する車両用暖房装置に関する。
【背景技術】
【０００２】
一般的に、車両用暖房装置においては、エンジンで昇温された冷却水をヒータコアに供給すると共に、この冷却水で車室内に送風される空気を加熱している。このような車両用暖房装置は、例えば特許文献１に記載されている。
【先行技術文献】
【特許文献】
【０００３】
【特許文献１】特開２００３−３４１２６号公報
【発明の概要】
【発明が解決しようとする課題】
【０００４】
ところで、エンジン始動時に暖機を促進するためには、冷却水温を早期に上昇させる必要がある。そのため、一般的なエンジンにおいては、暖機運転時は冷却水の循環流路をラジエータから迂回させることで、冷却水温を効果的に上昇させている。しかしながら、上述の従来技術のように、エンジンで昇温された冷却水を車室内に送風する空気の加熱に用いると、冷却水温の上昇に時間が掛かり、結果としてエンジンの暖機性能を低下させる可能性がある。
【０００５】
本発明はこのような点に鑑みてなされたもので、その目的は、エンジンの暖機性能低下を防止しつつ、ヒータ性能を効果的に向上することができる車両用暖房装置を提供することにある。
【課題を解決するための手段】
【０００６】
上記目的を達成するため、本発明の車両用暖房装置は、エンジンの排気通路に設けられ、該排気通路を流れる排気と流通させる流体との間で熱交換を行う熱交換流路と、前記熱交換流路で昇温された流体を流通させると共に、該流体と車室内に送風される空気との間で熱交換を行うヒータコアと、前記熱交換流路の流体出口部と前記ヒータコアの流体入口部とを接続する第１の流体流路と、前記ヒータコアの流体出口部と前記熱交換流路の流体入口部とを接続する第２の流体流路と、前記第１の流体流路もしくは前記第２の流体流路に設けられて流体を圧送するポンプとを備えることを特徴とする。
【０００７】
また、前記熱交換流路よりも排気上流側の排気通路から分岐して形成された分岐排気通路と、前記排気通路と前記分岐排気通路との分岐部に設けられて排気の流路を切り替える流路切替バルブとをさらに備え、前記流路切替バルブは、前記熱交換流路で昇温された流体の温度が流体の沸騰を防ぐ第１の上限閾値以下の時は、排気の流路を前記熱交換流路が設けられた排気通路にする一方、前記熱交換流路で昇温された流体の温度が前記第１の上限閾値よりも高くなると、排気の流路を前記分岐排気通路に切り替えるものであってもよい。
【０００８】
また、前記流体は前記エンジンの冷却水であって、前記第２の流体流路の少なくとも一部が前記エンジンのシリンダブロック内に形成されてもよい。
【０００９】
また、前記第１の流体流路と前記シリンダブロックよりも流体上流側に位置する前記第２の流体流路とを接続して、冷却水の流路を前記ヒータコアから迂回させるバイパス流路と、冷却水の流路を前記ヒータコアもしくは前記バイパス流路に切り替えるバイパスバルブとをさらに備え、前記バイパスバルブは、前記ヒータコアに流入する冷却水の温度が、暖房用の熱源として空気を十分に加熱できる第２の上限閾値よりも高くなると、冷却水の流路を前記バイパス流路に切り替えるものであってよい。
【００１０】
また、前記排気通路に排気を浄化する排気浄化触媒が設けられ、前記熱交換流路は該排気浄化触媒よりも排気下流側の排気通路に設けられてもよい。
【発明の効果】
【００１１】
本発明の車両用暖房装置によれば、エンジンの暖機性能低下を防止しつつ、ヒータ性能を効果的に向上することができる。
【図面の簡単な説明】
【００１２】
【図１】本発明の第一実施形態に係る車両用暖房装置を示す模式的な全体構成図である。
【図２】本発明の第一実施形態において、（ａ）は排気流路切替バルブがＯＮにされた時の排気流路を説明する図、（ｂ）は排気流路切替バルブがＯＦＦにされた時の排気流路を説明する図である。
【図３】本発明の第一実施形態に係る制御内容を示すフローチャートである。
【図４】本発明の第二実施形態に係る車両用暖房装置を示す模式的な全体構成図である。
【図５】本発明の第二実施形態において、（ａ）はバイパスバルブが閉弁された時の冷却水流路を説明する図、（ｂ）はバイパスバルブが開弁された時の冷却水流路を説明する図、（ｃ）はサーモスタットが開弁された時の冷却水流路を説明する図である。
【図６】本発明の第二実施形態に係る制御内容を示すフローチャートである。
【発明を実施するための形態】
【００１３】
以下、図面により、本発明に係る車両用暖房装置の各実施形態について説明する。同一の部品には同一の符号を付してあり、それらの名称および機能も同じである。したがって、それらについての詳細な説明は繰返さない。
【００１４】
［第一実施形態］
まず、図１に基づいて、第一実施形態の車両用暖房装置２０Ａが搭載される車両の排気系から説明する。
【００１５】
本実施形態の排気系において、ディーゼルエンジン（以下、単にエンジンという）１０の排気通路１１には排気上流側から順に、酸化触媒（Diesel Oxidation Catalyst：以下、ＤＯＣという）１２、ディーゼル・パティキュレイト・フィルタ（Diesel Particulate Filter、以下、ＤＰＦという）１３、選択的還元触媒（Selective Catalytic Reduction：以下、ＳＣＲという）１４が設けられている。
【００１６】
ＤＯＣ１２は、排気中のＮＯを酸化してＮＯ2を生成して、排気中のＮＯに対するＮＯ2の比率を増加させることで、ＳＣＲ１４による脱硝効率を高めるように機能する。
【００１７】
ＤＰＦ１３は、排気中の粒子状物質（以下、ＰＭという）を捕集すると共に、ＰＭの捕集量が所定量を超えると、蓄積したＰＭを焼却除去する再生が行われる。このＤＰＦ１３の再生は、排気上流側のＤＯＣ１２にポスト噴射により未燃燃料を供給し、酸化による熱で排気温度を上昇することで行われる。
【００１８】
ＳＣＲ１４は、図示しない尿素水インジェクタにより排気通路１１内に噴霧された尿素水から生成されるアンモニアを吸着するとともに、吸着したアンモニアで通過する排気中からＮＯｘを還元浄化する。
【００１９】
次に、本実施形態の車両用暖房装置２０Ａの詳細構成について説明する。車両用暖房装置２０Ａは、熱交換用排気通路１１ａと、分岐排気通路１１ｂと、排気流路切替バルブ２１と、廃熱回収用熱交換流路２２と、車室内暖房ユニット２３と、上流側流体流路２４と、下流側流体流路２５と、電動ポンプ２６と、流体温度センサ２７と、電子制御ユニット（以下、ＥＣＵという）４０とを備えている。
【００２０】
なお、本実施形態において、廃熱回収用熱交換流路２２は本発明の熱交換流路に相当し、上流側流体流路２４は本発明の第１の流体流路に相当し、下流側流体流路２５は本発明の第２の流体流路に相当する。
【００２１】
熱交換用排気通路１１ａは、ＳＣＲ１４や図示しない消音器よりも排気下流側の排気通路１１に形成されている。この熱交換用排気通路１１ａ内には、詳細を後述する廃熱回収用熱交換流路２２が介装されている。
【００２２】
分岐排気通路１１ｂは、ＳＣＲ１４と廃熱回収用熱交換流路２２との間に位置する排気通路１１から分岐して形成されている。本実施形態において、この分岐排気通路１１ｂと熱交換用排気通路１１ａとは、排気を外部に放出するテールパイプとしても機能する。
【００２３】
排気流路切替バルブ２１は、例えば公知のバタフライバルブであって、熱交換用排気通路１１ａと分岐排気通路１１ｂとの分岐部に設けられている。この排気流路切替バルブ２１は、ＥＣＵ４０から入力される指示信号に応じてＯＮにされると、分岐排気通路１１ｂの上流端を閉鎖する。すなわち、ＳＣＲ１４からの排気は熱交換用排気通路１１ａに流入して外気に放出される（図２（ａ）参照）。一方、排気流路切替バルブ２１は、ＥＣＵ４０から入力される指示信号に応じてＯＦＦにされると、熱交換用排気通路１１ａの上流端を閉鎖する。すなわち、ＳＣＲ１４からの排気は分岐排気通路１１ｂに流入して外気に放出される（図２（ｂ）参照）。
【００２４】
廃熱回収用熱交換流路２２は、その流路内を流通させる流体と熱交換用排気通路１１ａ内を流れる排気との間で熱交換を行うもので、熱交換用排気通路１１ａ内に蛇行して形成されている。本実施形態において、この廃熱回収用熱交換流路２２は、ＳＣＲ１４よりも排気下流側に設けられているので、廃熱回収による排気温度の低下によりＳＣＲ１４が触媒活性温度よりも低くなることを防止することができる。
【００２５】
車室内暖房ユニット２３は、上流側流体流路２４が接続された入口タンク２３ａと、下流側流体流路２５が接続された出口タンク２３ｂと、入口タンク２３ａと出口タンク２３ｂとの間に介装されたヒータコア部２３ｃと、入口タンク２３ａに接続されたリザーバタンクとしてのサブタンク２３ｄとを備えている。ヒータコア部２３ｃは、廃熱回収用熱交換流路２２で昇温されて入口タンク２３ａから流入する流体を熱源として、車室内に送風される空気を加熱する。ヒータコア部２３ｃを流れて空気と熱交換された流体は、出口タンク２３ｂに流入する。
【００２６】
上流側流体流路２４は、廃熱回収用熱交換流路２２で排気との熱交換により昇温された流体を車室内暖房ユニット２３に供給する。このため、上流側流体流路２４は、その上流端部を廃熱回収用熱交換流路２２の流体出口部に接続されると共に、下流端部を車室内暖房ユニット２３の入口タンク２３ａに接続されている。
【００２７】
下流側流体流路２５は、ヒータコア部２３ｃで空気と熱交換された流体を廃熱回収用熱交換流路２２に流入させる。このため、下流側流体流路２５は、その上流端部を車室内暖房ユニット２３の出口タンク２３ｂに接続されると共に、下流端部を廃熱回収用熱交換流路２２の流体入口部に接続されている。
【００２８】
電動ポンプ２６は、流体を圧送するもので、上流側流体流路２４に設けられている。この電動ポンプ２６の駆動は、ＥＣＵ４０から入力される指示信号に応じて制御される。電動ポンプ２６が駆動すると、圧送される流体は廃熱回収用熱交換流路２２〜上流側流体流路２４〜入口タンク２３ａ〜ヒータコア部２３ｃ〜出口タンク２３ｂ〜下流側流体流路２５で構成される流体回路を循環する。なお、電動ポンプ２６は、下流側流体流路２５に設けられてもよい。
【００２９】
流体温度センサ２７は、排気との熱交換により昇温された流体の温度を検出するもので、廃熱回収用熱交換流路２２の流体出口部と隣接する上流側流体流路２４に設けられている。この流体温度センサ２７で検出される流体温度ＴWAは、電気的に接続されたＥＣＵ４０に入力される。
【００３０】
ＥＣＵ４０は、エンジン１０の燃料噴射等の各種制御を行うもので、公知のＣＰＵやＲＯＭ、ＲＡＭ、入力ポート、出力ポート等を備え構成されている。この各種制御を行うため、ＥＣＵ４０には各種センサ類の出力信号が入力される。
【００３１】
また、ＥＣＵ４０は、電動ポンプ駆動制御部４１と、切替バルブ制御部４２とを一部の機能要素として有する。これら各機能要素は、本実施形態では一体のハードウェアであるＥＣＵ４０に含まれるものとして説明するが、これらのいずれか一部を別体のハードウェアに設けることもできる。
【００３２】
電動ポンプ駆動制御部４１は、流体温度センサ２７で検出される流体温度ＴWAに応じて電動ポンプ２６の駆動を制御する。より詳しくは、ＥＣＵ４０には、車室内に送風される空気をヒータコア部２３ｃで加熱して、暖房を十分に行うことができる流体温度（例えば、５０℃）が暖房加熱上限閾値ＴLIM1として記憶されている。
【００３３】
電動ポンプ駆動制御部４１は、流体温度センサ２７から入力される流体温度ＴWAが暖房加熱上限閾値ＴLIM1以下の時は、電動ポンプ２６に駆動指示信号を入力する。一方、流体温度センサ２７から入力される流体温度ＴWAが暖房加熱上限閾値ＴLIM1を超えると、電動ポンプ駆動制御部４１は電動ポンプ２６に停止指示信号を入力する。これにより、電動ポンプ２６を駆動させる無駄な電力消費が回避されるように構成されている。
【００３４】
切替バルブ制御部４２は、流体温度センサ２７で検出される流体温度ＴWAに応じて、排気流路切替バルブ２１を制御する。より詳しくは、ＥＣＵ４０には、流体の沸騰を防ぐ温度（例えば、８０℃）が流体温度上限閾値ＴLIM2として記憶されている。切替バルブ制御部４２は、流体温度センサ２７から入力される流体温度ＴWAがこの流体温度上限閾値ＴLIM2以下の時は、排気流路切替バルブ２１をＯＮにする指示信号を入力する。すなわち、分岐排気通路１１ｂの上流端が閉鎖されて、排気は熱交換用排気通路１１ａに流入する（図２（ａ）参照）。
【００３５】
一方、流体温度センサ２７から入力される流体温度ＴWAが流体温度上限閾値ＴLIM2を超えると、切替バルブ制御部４２は排気流路切替バルブ２１をＯＦＦにする指示信号を入力する。すなわち、熱交換用排気通路１１ａの上流端が閉鎖されて、排気は分岐排気通路１１ｂに流入する（図２（ｂ）参照）。
【００３６】
次に、図３に基づいて、本実施形態の車両用暖房装置２０Ａによる制御フローを説明する。なお、本制御はエンジン１０の始動（イグニッションスイッチのキースイッチＯＮ）と同時にスタートする。
【００３７】
ステップ（以下、ステップを単にＳと記載する）１００では、電動ポンプ駆動制御部４１から電動ポンプ２６に駆動指示信号が入力されると同時に、切替バルブ制御部４２から排気流路切替バルブ２１をＯＮにする指示信号が入力される。すなわち、廃熱回収用熱交換流路２２で流体が排気との熱交換により昇温されると共に、昇温された流体が上流側流体流路２４を介して車室内暖房ユニット２３に流入して、車室内に送風される空気の加熱が開始される。
【００３８】
Ｓ１１０では、流体温度センサ２７から入力される流体温度ＴWAが暖房加熱上限閾値ＴLIM1に達したか否かが判定される。流体温度ＴWAが暖房加熱上限閾値ＴLIM1以下の場合はＳ１００に戻される一方、流体温度ＴWAが暖房加熱上限閾値ＴLIM1を超えた場合はＳ１２０に進む。
【００３９】
Ｓ１２０では、流体温度ＴWAが暖房加熱上限閾値ＴLIM1に達したことを受けて、無駄な電力消費を回避すべく、電動ポンプ駆動制御部４１から電動ポンプ２６に停止指示信号が入力される。
【００４０】
Ｓ１３０では、流体温度センサ２７から入力される流体温度ＴWAが流体温度上限閾値ＴLIM2に達したか否かが判定される。流体温度ＴWAが流体温度上限閾値ＴLIM2を超えた場合は、流体の沸騰を回避すべく、Ｓ１４０で切替バルブ制御部４２から排気流路切替バルブ２１をＯＦＦにする指示信号が入力されて本制御はリターンされる。
【００４１】
次に、本実施形態に係る車両用暖房装置２０Ａによる作用効果を説明する。
【００４２】
一般的な車両用暖房装置では、エンジンで昇温される冷却水を熱源として、車室内に送風される空気を加熱している。このため、特に始動時には、暖房用の空気の加熱に冷却水の熱が奪われて、エンジンの暖機性能を低下させる虞があった。
【００４３】
これに対し、本実施形態の車両用暖房装置２０Ａでは、エンジン１０の冷却水回路とは別個の流体回路を設けて、排気熱で昇温された流体を熱源として車室内に送風される空気を加熱している。
【００４４】
したがって、本実施形態の車両用暖房装置２０Ａによれば、エンジン１０の暖機性能を低下させることなく、ヒータ性能を効果的に向上することができる。
【００４５】
また、本実施形態の車両用暖房装置２０Ａでは、排気と流体との熱交換を行う廃熱回収用熱交換流路２２は、ＳＣＲ１４よりも排気下流側に位置して設けられている。
【００４６】
したがって、本実施形態の車両用暖房装置２０Ａによれば、廃熱回収による排気温度の低下でＳＣＲ１４が触媒活性温度よりも低下することを回避して、排ガス（ＮＯｘ排出）の悪化を効果的に防止することができる。
【００４７】
［第二実施形態］
以下、図４〜６に基づいて、本発明の第二実施形態に係る車両用暖房装置２０Ｂを説明する。本発明の第二実施形態は、車室内に送風される空気を加熱する流体をエンジン１０の冷却水とし、さらに廃熱回収により昇温される冷却水でエンジン１０の暖機を促進させるものである。第一実施形態と同一の機能を有する構成要素については同一の符号を用い、それらの詳細な説明は省略する。
【００４８】
本実施形態の車両用暖房装置２０Ｂは、図４に示すように、熱交換用排気通路１１ａと、分岐排気通路１１ｂと、排気流路切替バルブ２１と、廃熱回収用熱交換流路２２と、車室内暖房ユニット２３と、上流側冷却水流路３０と、接続用冷却水流路３１と、シリンダブロック内流路３２と、ウォータポンプ３３と、下流側冷却水流路３４と、バイパス流路３５と、バイパスバルブ３６と、ラジエータ用流路３７と、冷却水温センサ３８と、ＥＣＵ４０とを備えている。
【００４９】
上流側冷却水流路３０は、廃熱回収用熱交換流路２２で排気との熱交換により昇温された冷却水を車室内暖房ユニット２３に供給する。このため、上流側流体流路２４は、その上流端部を廃熱回収用熱交換流路２２の冷却水出口部に接続されると共に、下流端部を車室内暖房ユニット２３の入口タンク２３ａに接続されている。
【００５０】
接続用冷却水流路３１は、車室内暖房ユニット２３を流通した冷却水をシリンダブロック内流路３２に流入させる。このため、接続用冷却水流路３１は、その上流端部を車室内暖房ユニット２３の出口タンク２３ｂに接続されると共に、下流端部をシリンダブロック内流路３２の冷却水入口部に接続されている。
【００５１】
シリンダブロック内流路３２は、接続用冷却水流路３１から流入する冷却水を図示しないウォータジャケットに流通させるもので、エンジン１０のシリンダブロック内に形成されている。
【００５２】
ウォータポンプ３３は、冷却水を圧送供給するもので、シリンダブロック内流路３２の冷却水入口部に隣接して設けられている。このウォータポンプ３３は、エンジン１０の図示しないクランクシャフトから伝達される動力で駆動される。
【００５３】
下流側冷却水流路３４は、シリンダブロック内流路３２を流通した冷却水を廃熱回収用熱交換流路２２に流入させる。このため、下流側冷却水流路３４は、その上流端部をシリンダブロック内流路３２の冷却水出口部に接続されると共に、下流端部を廃熱回収用熱交換流路２２の冷却水入口部に接続されている。
【００５４】
バイパス流路３５は、冷却水を車室内暖房ユニット２３から迂回させるもので、上流側冷却水流路３０と接続用冷却水流路３１とを接続する。
【００５５】
バイパスバルブ３６は、バイパス流路３５に設けられており、冷却水の流路を選択的に切り替える。このバイパスバルブ３６の開閉は、電気的に接続されたＥＣＵ４０から入力される指示信号に応じて制御される。このバイパスバルブ３６が閉弁すると、冷却水は車室内暖房ユニット２３に流入する一方（図５（ａ）参照）、バイパスバルブ３６が開弁すると、冷却水はバイパス流路３５に流入する（図５（ｂ）参照）。
【００５６】
ラジエータ用流路３７は、冷却水と外気との熱交換を行うラジエータ３９に冷却水を流入させるもので、接続用冷却水流路３１の下流側と下流側冷却水流路３４の上流側とを接続する。また、ラジエータ用流路３７と下流側冷却水流路３４との分岐部には、公知のサーモスタット５０が設けられている。このサーモスタット５０は、冷却水温が８７℃を超えると冷却水をラジエータ用流路３７に流通させる。すなわち、冷却水はシリンダブロック内流路３２とラジエータ用流路３７とで構成される冷却水回路を循環する（図５（ｃ）参照）。
【００５７】
冷却水温センサ３８は、排気との熱交換により昇温された冷却水の温度を検出するもので、廃熱回収用熱交換流路２２の冷却水出口部と隣接する上流側冷却水流路３０に設けられている。この冷却水温センサ３８で検出される冷却水温度ＴCOは、電気的に接続されたＥＣＵ４０に入力される。
【００５８】
ＥＣＵ４０は、バイパスバルブ制御部４３と、切替バルブ制御部４２とを一部の機能要素として備えている。
【００５９】
バイパスバルブ制御部４３は、冷却水温センサ３８で検出される冷却水温度ＴCOに応じて、バイパスバルブ３６を制御する。より詳しくは、ＥＣＵ４０には、車室内に送風される空気をヒータコア部２３ｃで加熱して、暖房を十分に行うことができる流体温度（例えば、５０℃）が暖房加熱上限閾値ＴLIM1として記憶されている。
【００６０】
バイパスバルブ制御部４３は、冷却水温センサ３８から入力される冷却水温度ＴCOが暖房加熱上限閾値ＴLIM1以下の時は、バイパスバルブ３６に閉弁指示信号を入力する。すなわち、廃熱回収用熱交換流路２２で昇温された冷却水は車室内暖房ユニット２３に流入する（図５（ａ）参照）。
【００６１】
一方、冷却水温センサ３８から入力される冷却水温度ＴCOが暖房加熱上限閾値ＴLIM1を超えると、バイパスバルブ制御部４３はバイパスバルブ３６に開弁指示信号を入力する。すなわち、廃熱回収用熱交換流路２２で昇温された冷却水はバイパス流路３５に流入して、車室内暖房ユニット２３を迂回する（図５（ｂ）参照）。
【００６２】
切替バルブ制御部４２は、冷却水温センサ３８で検出される冷却水温度ＴCOに応じて、排気流路切替バルブ２１を制御する。より詳しくは、ＥＣＵ４０には、冷却水の沸騰を防ぐ温度（例えば、８０℃）が冷却水温度上限閾値ＴLIM3として記憶されている。切替バルブ制御部４２は、冷却水温センサ３８から入力される冷却水温度ＴCOがこの冷却水温度上限閾値ＴLIM3以下の時は、排気流路切替バルブ２１をＯＮにする指示信号を入力する。一方、冷却水温センサ３８から入力される冷却水温度ＴCOが冷却水温度上限閾値ＴLIM3を超えると、切替バルブ制御部４２は排気流路切替バルブ２１をＯＦＦにする指示信号を入力する。
【００６３】
次に、図６に基づいて、本実施形態の車両用暖房装置２０Ｂによる制御フローを説明する。本制御はエンジン１０の始動（イグニッションスイッチのキースイッチＯＮ）と同時にスタートする。
【００６４】
Ｓ２００では、エンジン１０の始動によりウォータポンプ３３が駆動すると共に、切替バルブ制御部４２から排気流路切替バルブ２１をＯＮにする指示信号が入力される。すなわち、冷却水が廃熱回収用熱交換流路２２で排気との熱交換により昇温されると共に、昇温された冷却水が上流側流体流路２４を介して車室内暖房ユニット２３に流入して、車室内に送風される空気の加熱が開始される。
【００６５】
その後、Ｓ２１０では、冷却水温センサ３８から入力される冷却水温度ＴCOが暖房加熱上限閾値ＴLIM1に達したか否かが判定される。冷却水温度ＴCOが暖房加熱上限閾値ＴLIM1以下の場合はＳ２００に戻される一方、冷却水温度ＴCOが暖房加熱上限閾値ＴLIM1を超えた場合はＳ２２０に進む。
【００６６】
Ｓ２２０では、冷却水温度ＴCOが暖房加熱上限閾値ＴLIM1に達したことを受けて、バイパスバルブ制御部４３からバイパスバルブ３６に開弁指示信号が入力される。すなわち、冷却水は車室内暖房ユニット２３を迂回する。
【００６７】
Ｓ２３０では、冷却水温センサ３８から入力される冷却水温度ＴCOが冷却水温度上限閾値ＴLIM3に達したか否かが判定される。冷却水温度ＴCOが冷却水温度上限閾値ＴLIM3以下の場合は、エンジン１０の暖機を継続するためにＳ２２０に戻される。一方、冷却水温度ＴCOが冷却水温度上限閾値ＴLIM3を超えた場合は、Ｓ２４０で切替バルブ制御部４２から排気流路切替バルブ２１をＯＦＦにする指示信号が入力される。
【００６８】
さらに、Ｓ２５０では、冷却水温が８７℃を超えたことを受けて、サーモスタット５０により冷却水の流路が下流側冷却水流路３４からラジエータ用流路３７に切り替えられる。すなわち、冷却水の流路がシリンダブロック内流路３２とラジエータ用流路３７とで構成される冷却水回路に切り替えられ、本制御はリターンされる。
【００６９】
次に、本実施形態の車両用暖房装置２０Ｂによる作用効果を説明する。なお、第一実施形態の車両用暖房装置２０Ａと同様の作用効果を奏するものについては説明を省略する。
【００７０】
本実施形態の車両用暖房装置２０Ｂでは、エンジン１０の始動後、廃熱回収用熱交換流路２２で排気との熱交換により昇温された冷却水は、車室内暖房ユニット２３とシリンダブロック内流路３２とに流入する。そして、ヒータコア部２３ｃに流入する冷却水の温度が暖房を十分に行える所定の温度に達すると、冷却水は車室内暖房ユニット２３を迂回しつつ、エンジン１０の暖機が終了するまで、廃熱回収用熱交換流路２２でさらに加熱されながらシリンダブロック内流路３２に流入する。すなわち、廃熱回収により加熱した冷却水でヒータコア部２３ｃが暖房を十分に行える温度まで昇温した後においても、この廃熱回収による冷却水の加熱は継続されて、エンジン１０の暖機が促進される。
【００７１】
したがって、本実施形態の車両用暖房装置２０Ｂによれば、エンジン１０の暖機性能を向上させつつ、ヒータ性能も効果的に向上することができる。
【００７２】
なお、本発明は、上述の各実施形態に限定されるものではなく、本発明の趣旨を逸脱しない範囲で、適宜変形して実施することが可能である。
【００７３】
例えば、熱交換用排気通路１１ａや分岐排気通路１１ｂは、消音器よりも排気下流側の排気通路１１に形成されるものとして説明したが、ＳＣＲ１４の直下流に形成されてもよく、触媒ヒータを備えていればＳＣＲ１４よりも排気上流側に形成されてもよい。
【００７４】
また、第二実施形態において、上流側冷却水流路３０に電動ポンプ２６をさらに備える構成としてもよい。この場合は、ウォータポンプ３３を電磁クラッチ式のウォータポンプにして、その駆動を必要に応じて停止させれば、暖機運転時のエンジン負荷を効果的に低減することが可能になる。
【００７５】
また、エンジン１０は、ディーゼルエンジンに限定されず、ガソリンエンジン等であってもよい。
【符号の説明】
【００７６】
１０  エンジン
１１  排気通路
１１ａ  熱交換用排気通路
１１ｂ  分岐排気通路
２１  排気流路切替バルブ
２２  廃熱回収用熱交換流路（熱交換流路）
２３  車室内暖房ユニット
２３ｃ  ヒータコア部
２４  上流側流体流路（第１の流体流路）
２５  下流側流体流路（第２の流体流路）
２６  電動ポンプ
４０  ＥＣＵ
【図４】
0006028397.tif 000002
【図１】
0006028397.tif 000003
【図２】
0006028397.tif 000004
【図３】
0006028397.tif 000005
【図５】
0006028397.tif 000006
【図６】
0006028397.tif 000007